(57)【要約】【課題】  接地金具を接地端子に接続しない限り、接続具を受電設備の電力線に接続することができない装置を提供する。【解決手段】  接地端子に接続すべき接地金具２０と接地金具２０に接地ケーブル３０を介して接続され受電設備の電力線に着脱自在に接続されるべき接続具４０とから成り、接続具４０に設けられた二股状の係止片６２と、接地金具２０に設けられて係止片６２の二股部が係入する係入溝６４Ｇと、接地金具２０が接地端子に接続されていない状態では係止片６２の係止孔６２Ｈに係止ロッド６６が係入して係止片６２が係入溝６４Ｇから外れないようにロックし、接地金具２０が接地端子５０に確実に接続されたときに係止片６２の係止孔６２Ｈから係止ロッド６６が脱出して係止片６２が係入溝６４Ｇから離脱するのを許すようにロックを解放するロック機構６０を備えている。【選択図】図１
2020136248.tif 000002
【特許請求の範囲】
【請求項１】
接地端子に接続すべき接地金具と前記接地金具に接地ケーブルを介して接続され受電設備の電力線に着脱自在に接続されるべき接続具とから成っている受電設備用接地装置において、前記接続具に設けられた係止片と、前記接地金具に設けられて前記係止片が係入する係入部と、前記接地金具が前記接地端子に接続されていない状態では前記係止片が前記系入部から外れないようにロックし、前記接地金具が前記接地端子に確実に接続されたときに前記係止片が前記係入部から離脱するのを許すようにロックを解放するロック機構を備えていることを特徴とする受電設備用接地装置。
【請求項２】
請求項１に記載の受電設備用接地装置であって、前記係止片は、前記接続具に取付けられた二股状の板片から成っており、前記係入部は、前記二股状の板片が係入する係入溝から成っている受電設備用接地蔵置。
【請求項３】
請求項２に記載の受電設備用接地装置であって、前記ロック機構は、前記係止片に設けられた係止孔と前記接地金具内に設けられ前記係止片の係止孔に係入するようにばね付勢される係止ロッドとを備え、前記係止ロッドは、前記接地金具が前記接地端子に接続される際に接地端子に向けて押圧される押圧部に応動して前記ばね付勢を解除するリンク手段に接続されている受電設備用接地装置。
【請求項４】
請求項３に記載の受電設備用接地装置であって、前記リンク手段は、前記接地金具に枢動自在に取付けられ自由端が前記係止ロッドに枢支されて前記係止ロッドを押し上げて前記係止孔に係入するようにばね付勢された水平アームと前記水平アームに接続されて前記接地金具の押圧部に対向する被押圧部とから成っている受電設備用接地装置。
【請求項５】
請求項４に記載の受電設備用接地装置であって、前記被押圧部は、前記接地金具内を貫通して前記水平アームに枢支された短ロッドから成り、前記水平アームは、前記短ロッドと前記係止ロッドとを押し上げるようにばね付勢されている受電設備用接地装置。
【発明の詳細な説明】
【技術分野】
【０００１】
本発明は、高圧受電設備を保守、点検するために停電作業を行う場合に作業者の安全を確保するために、接地端子に接地金具が確実に接地された場合に限り、接続具を電力線に接続することができるようにした受電設備用接地装置に関するものである。
【背景技術】
【０００２】
高圧受電設備の保守、点検は、電力線を停電して行われるが、この場合、作業者の安全を確保するために、電力線を接地線に接続する接地作業が行われている。
【０００３】
このような接地作業は、通常、接地端子にクランプして接続される接地クランプの形態の接地金具と、この接地金具に接地ケーブルを介して接続され、電力線に着脱自在に接続される接地フックの如き接続具とから成っている接地装置が用いられている（特許文献１参照）。
【０００４】
接地作業は、この接地装置の接地金具を接地端子にクランプした後、接続具を受電設備の電力線に接続して行われるが、誤って接続具を先に電力線に接続したり、接地金具を接地端子に確実に接続していない状態で接続具を電力線に接続したりすると、作業者が感電する虞があった。
【先行技術文献】
【特許文献】
【０００５】
【特許文献１】特開２００８−１３０２９７号公報
【発明の開示】
【発明が解決しようとする課題】
【０００６】
本発明が解決しようとする課題は、接地金具を接地端子に確実に接地した後でなければ、接続具を受電設備の電力線に接続することができないようにした受電設備用接地装置を提供することにある。
【課題を解決するための手段】
【０００７】
本発明の課題解決手段は、接地端子に接続すべき接地金具と前記接地金具に接地ケーブルを介して接続され受電設備の電力線に着脱自在に接続されるべき接続具とから成っている受電設備用接地装置において、前記接続具に設けられた係止片と、前記接地金具に設けられて前記係止片が係入する係入部と、前記接地金具が前記接地端子に接続されていない状態では前記係止片が前記系入部から外れないようにロックし、前記接地金具が前記接地端子に確実に接続されたときに前記係止片が前記係入部から離脱するのを許すようにロックを解放するロック機構を備えていることを特徴とする受電設備用接地装置を提供することにある。
【０００８】
本発明の上記課題解決手段において、前記係止片は、前記接続具に取付けられた二股状の板片から成っており、前記係入部は、前記二股状の板片が係入する係入溝から成っており、前記ロック機構は、前記係止片に設けられた係止孔と前記接地金具内に設けられ前記係止片の係止孔に係入するようにばね付勢される係止ロッドとを備え、前記係止ロッドは、前記接地金具が前記接地端子に接続される際に接地端子に向けて押圧される押圧部に応動して前記ばね付勢を解除するリンク手段に接続されている形態とすることができる。
【０００９】
この場合、前記リンク手段は、前記接地金具に枢動自在に取付けられ自由端が前記係止ロッドに枢支されて前記係止ロッドを押し上げて前記係止孔に係入するようにばね付勢された水平アームと前記水平アームに接続されて前記接地金具の押圧部に対向する被押圧部とから成っているのが好ましい。
【発明の効果】
【００１０】
本発明によれば、上記のように、受電設備の保守点検時の停電に伴う接地作業に際しては、接続具は、接地金具を接地端子に確実に接続するまでは、接地金具に固定してロックされているので、誤って先に接続具を電力線に接続したり、接地金具が確実に接続される前に接続具を電力線に接続したりすることがなく、作業者の安全を確実に維持することができる。
【図面の簡単な説明】
【００１１】
【図１】本発明の実施形態による受電設備用接地装置の非接地状態を示す左側面図である。
【図２】図１の接地装置の接続具を接地金具から取り外して接地作業を行うことができる状態の左側面図である。
【図３】図２の装置の正面図である。
【図４】図１の接地装置において接続金具を取り除いた状態の右側面図である。
【図５】図４の接地装置の背面図である。
【図６】図4の接地装置の上面図である。
【図７】図4の接地装置の接地金具の非接地状態で本体を垂直断面で示す右側面図である。
【図８】図４の接地金具の接地状態の本体を垂直断面で示す右側面図である。
【図９】図４の接地金具の要部を示す斜視図である。
【発明を実施するための形態】
【００１２】
本発明の好ましい実施の形態による受電設備用接地装置１０が図１及び図２に示されており、この接地装置１０は、接地端子５０（図２参照）に接続すべき接地金具２０とこの接地金具２０に接地ケーブル３０を介して接続され受電設備の図示しない電力線に着脱自在に接続されるべき接続具４０とから成っている。
【００１３】
接地金具２０は、図４，図７及び図８に示すように、略コ字形の金具本体２２とこの金具本体２２の上片部２２Ｕに螺合して貫通する押ロッド２４とから成っているクランプの形態を有しており、押ロッド２４の上端には押ロッド２４を回転して押ロッド２４を上下動するハンドル２４Ｗが設けられ、押ロッド２４の下端には下片部２２Ｌとの間で接地端子５０を挟んで接続する押圧部２４Ｐが設けられている。この接地装置１０のハンドル２４Wを右回転又は左回転して押ロッド２４を下降又は上昇してクランプして接地端子５０に接続したり、接地端子５０との接続を解除したりすることができる。なお、下片部７２ＰＬは、図７、図８に示すように、逆Ｕ字状に形成されていて内部が空洞２２ＬＣとなっている。
【００１４】
接地ケーブル３０は、図１に示すように、接地金具２０側の端子部３０ＴＬを接地金具２０の金具本体２２の垂直片部２２Ｖの背面に露出する導電部にねじ３２で固定して接地金具２０に電気的に接続され、接続具４０側の端子部３０ＴＵを接続具４０の背面に露出する導電部にねじ３４で固定して接続具４０に電気的に接続されている。
【００１５】
接続具４０は、図１及び図２に示すように、接地フック（フック状の接続具本体）４０Ｆから成っており、この接地フック４０Ｆは、接地金具２０が接地端子５０に接続した後、受電設備の電力線に掛け止めして電力線に接続される。なお、図１及び図２において、符号４２は、接続具４０を高所の電力線に掛け止めするために用いられる絶縁棒を嵌合する絶縁棒受け部である。
【００１６】
本発明の受電設備用接地装置１０は、図１、図２、図４、図７及び図８に示すように、接続具４０に設けられた係止片６２と、接地金具２０に設けられて係止片６２が係入する係入部６４と、接地金具２０が接地端子５０に接続されていない状態では係止片６２が係入部６４から外れないようにロックし、接地金具２０が接地端子５０に確実に接続されたときに係止片６２が係入部６４から離脱するのを許すようにロックを解放するロック機構６０を備えている。
【００１７】
図示の実施の形態では、係止片６２は、接続具４０の下面に取付けられた二股状の板片６２Ｐ（図９参照）から成っており、また係入部６４は、接地金具２０の上片部２２Ｕの両側に設けられて係止片６２の二股状の板片６２Ｐが係入する係入溝６４Ｇ（図９参照）から成っている。
【００１８】
ロック機構６０は、係止片６２に設けられた係止孔６２Ｈと接地金具２０内に設けられ係止片６２の係止孔６２Ｈに係入するように接地金具２０の垂直片部２２Ｖを貫通しばね付勢される係止ロッド６６とを備え、係止ロッド６６は、接地金具２０が接地端子５０に接続されるように接地端子５０をクランプする際に接地端子５０に向けて押圧される押ロッド２４の押圧ヘッド（押圧部）２４Ｐに応動してばね付勢を解除するリンク手段７０に接続されている（図７、図８参照）。
【００１９】
リンク手段７０は、図７及び図８に示すように、接地金具２０の下片部２２Ｌの空洞２２ＬＣの壁に枢動ピン７２ＰＡで枢動自在に取付けられ自由端（図７、８の右端）が係止ロッド６６に枢支ピン７２ＰＢで枢支されて係止ロッド６６を押し上げて係止孔６２Ｈに係入するようにばね７４で付勢された水平アーム７２と、この水平アーム７２にピン７６Ｐで枢動自在に接続されて接地金具２０の押ロッド２４の押圧ヘッド２４Ｗに対向するように下片部２２Ｌを貫通する短ロッド（被押圧部）７６とから成っている。なお、係止ロッド６６は、垂直片部２２Ｖを緩く貫通し、また、短ロッド７６は、下片部２２Ｌを緩く貫通しており、リンク手段７０の水平アーム７２が枢動する際にこれらのロッド６６、７６が貫通部の壁に拘束されることがないようにしている。ばね７４は、空洞２２ＬＣの壁内に収納され、キャップ７４Ｃによって水平アーム７２を上方に付勢している。
【００２０】
次に、本発明の上記実施の形態による接地装置１０の使用状態を説明すると、図１に示すように、接続具４０の係止片６２が接地金具２０の係止溝６４Ｇに係入していてロック機構６０によってロックされている状態から停電作業に伴う設置作業を行う場合、接地金具２０を接地端子５０に接地することによってロック機構６０のロックを自動的に解除して接続具４０を接地金具２０から取り外す。
【００２１】
更に詳細に述べると、接地金具２０が接地端子５０に接続（クランプ）されていない状態では、図７に示すように、リンク手段７０のばね７４がリンク手段７０の水平アーム７２と短ロッド７６とを押上げ、これに伴って係止ロッド６６が押し上げられて係止片６２の係止孔６２Ｈに係入している。従って、係止片６２は、その二股部が係入溝６４Ｇに係入して上下方向に拘束され、またその係止孔６２Ｈに係止ロッド６６が係入して水平方向に拘束され、接続具４０を接地金具２０に取り外しできないようにロックされている。
【００２２】
この状態から、図８に示すように、接地金具を接地端子５０にあてがって押ロッド２４のハンドル２４Ｗを回転して押ロッド２４を下降すると、押ロッド２４の押圧ヘッド２４Ｐが接地端子５０を押圧して接地端子５０をクランプすると同時に、押ロッド２４の押圧ヘッド２４Ｐが接地端子５０を介してロック機構６０のリンク手段７０の短ロッド７６を押し下げ、水平アーム７２が図８で見て時計方向に枢動するので、係止ロッド６６が下降して係止片６２の係止孔６２Ｈから脱出する。従って、接続具４０は、接地金具２０から取り外すことができるので、受電設備の電力線に掛け止めすることができる。これは、接続具４０は、接地金具２０が接地端子５０に接地しない限り、受電設備の電力線に接続することができないことを意味する。
【００２３】
上記のように、接続具４０は、接地金具２０を接地端子５０に確実に接続するまでは、接地金具２０に固定してロックされているので、誤って先に接続具４０を電力線に接続したり、接地金具２０が確実に接続される前に接続具４０を電力線に接続したりすることがなく、作業者の安全を確実に維持することができる。
【産業上の利用可能性】
【００２４】
本発明によれば、受電設備の保守点検時の停電に伴う接地作業に際しては、誤って先に接続具を電力線に接続したり、接地金具が確実に接続される前に接続具を電力線に接続したりすることがなく、作業者の安全を確実に維持することができ、高い産業上の利用性を有する。
【符号の説明】
【００２５】
１０  接地装置
２０  接地金具
２２  略コ字形の金具本体
２２Ｕ  上片部
２２Ｌ  下片部
２２ＬＣ  空洞
２２ＬＣＷ  空洞の壁
２２Ｖ  垂直片部
２４  押ロッド
２４Ｗ  ハンドル
２４Ｐ  押圧ヘッド（押圧部）
３０  接地ケーブル
３０ＴＬ  接地金具側の端子部
３０ＴＵ  接続具側の端子部
３２、３４  ねじ
４０  接続具
４０Ｆ  接地フック（フック状の接続具本体）
４２  絶縁棒受け部
５０  接地端子
６０  ロック機構
６２  係止片
６２Ｐ  二股状の板片
６２Ｈ  係止孔
６４  係入部
６４Ｇ  係入溝
６６  係止ロッド
７０  リンク手段
７２  水平アーム
７２ＰＡ  枢動ピン
７２ＰＢ  枢支ピン
７４  ばね
７６  短ロッド（被押圧部）
【図１】
2020136248.tif 000003
【図２】
2020136248.tif 000004
【図３】
2020136248.tif 000005
【図４】
2020136248.tif 000006
【図５】
2020136248.tif 000007
【図６】
2020136248.tif 000008
【図７】
2020136248.tif 000009
【図８】
2020136248.tif 000010
【図９】
2020136248.tif 000011